(57)【特許請求の範囲】
【請求項１】
印画紙を暗箱で囲まれた露光焼付部に搬送し、露光後に処理槽、乾燥部に搬送してインデックス写真を含む完成写真を得るとともに、色合わせ基準用ネガによる露光焼付を行うことで前記完成写真を得てから、三原色の濃度測定を行い、該濃度測定結果に基づいた自動補正機能を備える写真焼付現像装置に用いられるインデックス写真焼付装置であって、
露光光源を最大にズーミングしたときの円錐形状に略沿う傾斜面を側面に形成した前記暗箱と、
前記露光焼付部に配設される取付基部と、
該取付基部に対して軸支され、待機位置と露光位置との間で回動駆動されて前記待機位置と前記露光位置のいずれかで停止する第１の駆動部を設け、前記待機位置において前記傾斜面に略平行となる側端部を有する第１の基部と、
該第１の基部に設けられ、前記露光位置でインデックス写真を得るためのインデックス露光を前記印画紙に行うインデックス露光手段と、
前記露光位置において前記色合わせ基準用ネガによる露光焼付を行なうために前記基準用ネガを端部に設け、待機位置と露光位置との間で回動駆動されて前記待機位置と前記露光位置のいずれかで停止する第２の駆動部を設け、前記第１の基部により前記露光位置において覆われ、かつ前記待機位置に自動復帰する付勢部を設けた第２の基部と、
前記側端部において回動自在に設けられるとともに、前記露光位置において前記第１の基部により覆われない部分を覆い隠す覆板と
を具備することを特徴とするインデックス写真焼付装置。
【請求項２】
前記インデックス露光手段は、新規格フィルムを含む現像済みのフィルムを搬送しつつ、フィルム画像をイメージセンサにより随時読取り、アナログ−デジタル変換し、１本分のフィルムの全ての画像を一時記憶し、所定駒数分の縦列と横列に配置するように画像処理し、前記露光位置において、光透過性の液晶パネルを前記印画紙に対向させ、光源の近傍に設けられた三原色の各フィルターを１枚毎に順次光軸上に位置させ、前記各フィルターに応じた画像を前記液晶パネルに表すようにして、前記インデックス露光を行う準電子式であることを特徴とする請求項１に記載のインデックス写真焼付装置。
【請求項３】
前記覆板の端部に回動ローラを設け、該回動ローラを前記取付基部に設けられた平行板部材に対して当接しつつ移動するようにして、前記覆板を開くように構成することを特徴とする請求項１または請求項２に記載のインデックス写真焼付装置。
【発明の詳細な説明】
【０００１】
【発明の属する技術分野】
本発明はインデックス写真焼付装置に係り、特に現像済み新規格フィルムであるＩＸ２４０及び通常の１３５フィルム他をフィルムスキャナーまたは写真焼付現像装置にセットして、印画紙に露光して、インデックス写真（プリント）を得るための技術に関するものである。
【０００２】
【従来の技術】
従来より、所定サイズに予め切断された印画紙の乳剤面上に露光（焼付け）を行った後に、現像、漂白、水洗用の処理液体を内蔵した処理槽内を順次通過するように搬送し、最後に乾燥して装置外部に排出するように構成された写真焼付現像装置が実用化されている。
【０００３】
例えば、米国特許番号５、３０７、１１４号に開示されている写真焼付現像装置によれば、ペーパーマガジン内において光を遮断して内蔵されている連続ロール状の印画紙をカッターユニットにより所望のカットサイズに予め切断した後に、乳剤面を上にして露光焼付け部に搬送してから、フィルムスキャナーにセットされたフィルム画像が所望のサイズになるように所定時間露光焼付けした後に、下流に搬送し、現像、漂白、水洗用の処理液体を内蔵した処理槽中を順次搬送してから、乾燥後に外部に排出するように構成された装置が提案されている。
【０００４】
そして、この装置によれば、所望サイズに露光する際に、露光焼付け部において印画紙を回転する必要のある場合には、印画紙Ｐを９０度回転してから露光焼き付けする機能を備えている。
【０００５】
一方、新規格フィルムのＩＸ２４０によれば、ネガフィルムの現像依頼時においてインデックス写真をユーザに提供して、焼き増し依頼の際における不便さを解消している。即ち、従来のようにネガフィルムから所望の写真を指定するのではなく、インデックス写真上に焼付けられた写真の内から、所望の写真の駒数と種類（ノーマル、ハイビジョン、パノラマ）を指定できるようにしたサービスを開始している。
【０００６】
このような、サービスによれば、新規格フィルムを含む現像済みのフィルムを搬送しつつ、画像をイメージセンサにより随時読取り、アナログ−デジタル変換し、全ての画像を一時記憶してから、所定駒数の縦列と所定列分に配置するように画像処理してから普通紙上にサーマルプリンタ等を使用してプリントすることでインデックス写真を得るプリンタ式のインデックス写真が知られている。
【０００７】
または、新規格フィルムを含む現像済みのフィルムを搬送しつつ、画像をイメージセンサにより随時読取り、読取り画像をアナログ−デジタル変換し、１本分のフィルムの全ての画像を一時記憶し、所定駒数分の縦列と横列に配置するように画像処理し、光透過性の液晶パネルを印画紙上に位置させてから、光源の近傍に設けられた色三原色のフィルターを１枚毎に光軸上に位置させ、各フィルターに応じた画像を液晶パネルに表すようにして、印画紙上に直に焼付けてインデックス写真を得る準電子式のインデックス写真焼付装置が知られている。
【０００８】
さらに、特開平６‐５８８７６、特開平６‐５８８７７号公報に開示の「写真焼付装置」のように、所定駒数の縦列と所定列分に該当する位置にレンズを適宜駆動するものや、所定駒数の縦列と所定列分に該当する多数のレンズを設けておき、夫々にシャッターを備えることで、インデックス写真を得るようにした準光学式のインデックス写真焼付装置が知られている。
【０００９】
【発明が解決しようとする課題】
上記のようなサービスの内、プリンタ以外を使用してインデックス写真を完成するためには、通常の完成写真を得るための写真焼付現像装置の暗箱で囲まれた露光焼付部にインデックス写真焼付装置を設置しておき、通常はインデックス露光部を待機位置に位置させておき、通常の露光を行うようにする一方で、インデックス写真を得る場合のみ、インデックス写真焼付装置のインデックス露光部を露光位置に移動するようにして、インデックス露光を印画紙に行い、この露光後に各処理槽、乾燥部に搬送してインデックス写真を得ることが考えられる。
【００１０】
また、暗箱は限られた空間から構成されているので、インデックス写真焼付装置を暗箱内に配設するためにはインデックス露光部を露光位置に回動駆動するように構成して、基部に設けたインデックス露光部をモータ駆動して、露光位置となる露光面において停止するように構成することで、待機位置と露光位置のいずれかの位置において任意に停止できるようになる。
【００１１】
また、暗箱はできるだけ小型に構成するために、ズームレンズからの光源を最大にした露光光源に沿う傾斜面を設けることで、他の装置の配設空間を確保することが考えられる。
【００１２】
一方、露光位置において色合わせ基準用ネガによる露光焼付を行なうために基準用ネガを端部に設け、待機位置と露光位置との間で回動駆動されて待機位置と露光位置のいずれかで停止する駆動部を設けた色合わせ基準用ネガ機構を上記のインデックス写真焼付装置と並設するようにして、露光部において色合わせ基準用ネガによる露光と、インデックス露光を適宜行えるように構成するときに、暗箱の傾斜面との干渉が問題となる。
【００１３】
したがって、本発明は上述した問題点に鑑みてなされたものであり、写真焼付現像装置に用いられるインデックス写真焼付機構と色合わせ基準用ネガ機構とを傾斜面を設けた暗箱内に配設し、待機位置と露光位置とに夫々回動駆動するように構成した場合において、暗箱の傾斜面との干渉が防止でき、かつ所定露光位置において露光面全体を覆い隠すことができるインデックス写真焼付装置の提供を目的としている。
【００１４】
【課題を解決するための手段】
上述した課題を解決し、目的を達成するために、本発明によれば、  印画紙を暗箱で囲まれた露光焼付部に搬送し、露光後に処理槽、乾燥部に搬送してインデックス写真を含む完成写真を得るとともに、色合わせ基準用ネガによる露光焼付を行うことで前記完成写真を得てから、三原色の濃度測定を行い、該濃度測定結果に基づいた自動補正機能を備える写真焼付現像装置に用いられるインデックス写真焼付装置であって、露光光源を最大にズーミングしたときの円錐形状に略沿う傾斜面を側面に形成した前記暗箱と、前記露光焼付部に配設される取付基部と、該取付基部に対して軸支され、待機位置と露光位置との間で回動駆動されて前記待機位置と前記露光位置のいずれかで停止する第１の駆動部を設け、前記待機位置において前記傾斜面に略平行となる側端部を有する第１の基部と、該第１の基部に設けられ、前記露光位置でインデックス写真を得るためのインデックス露光を前記印画紙に行うインデックス露光手段と、前記露光位置において前記色合わせ基準用ネガによる露光焼付を行なうために前記基準用ネガを端部に設け、待機位置と露光位置との間で回動駆動されて前記待機位置と前記露光位置のいずれかで停止する第２の駆動部を設け、前記第１の基部により前記露光位置において覆われ、かつ前記待機位置に自動復帰する付勢部を設けた第２の基部と、前記側端部において回動自在に設けられるとともに、前記露光位置において前記第１の基部により覆われない部分を覆い隠す覆板とを具備することを特徴としている。また、前記インデックス露光手段は、新規格フィルムを含む現像済みのフィルムを搬送しつつ、フィルム画像をイメージセンサにより随時読取り、アナログ−デジタル変換し、１本分のフィルムの全ての画像を一時記憶し、所定駒数分の縦列と横列に配置するように画像処理し、前記露光位置において、光透過性の液晶パネルを前記印画紙に対向させ、光源の近傍に設けられた三原色の各フィルターを１枚毎に順次光軸上に位置させ、前記各フィルターに応じた画像を前記液晶パネルに表すようにして、前記インデックス露光を行う準電子式であることを特徴としている。
【００１５】
そして、前記覆板の端部に回動ローラを設け、該回動ローラを前記取付基部に設けられた平行板部材に対して当接しつつ移動するようにして、前記覆板を開くように構成することを特徴としている。
【００１６】
【発明の実施の形態】
以下に本発明の好適な実施形態について添付の各図面を参照して述べる。
【００１７】
先ず、図１は写真焼付現像装置１００の全体構成の要部を示すために図中の二点鎖線図示の筐体１０２に対して着脱自在に設けられるカバーを全て取り外して示した外観斜視図であり、オプション設定されるペーパーマガジン左収納部１０２ａを増設した様子を示している。また、完成写真の排出部については省略して示してある。
【００１８】
本図から明らかなように、装置１００は縦長偏平に構成することで、極力占有面積を取らないようにしている。一方で、前面から主要な各部分に簡単にアクセスできるように配慮されている。また、このペーパーマガジン左収納部１０２ａは、図中の矢印Ｙで示された装置１００の側面から分離可能に取付けられるものであり、カッターユニット１０４とともに増設できるようにして、図示のように２個のペーパーマガジン１０３を同時に装填可能にして、より需要の高い使用頻度となった場合に対応可能にしている。
【００１９】
すなわち、左側のペーパーマガジン１０３を適宜増設できるようにして、ペーパーマガジン右収納部１０２ｂのみを配設した状態で完成された写真焼付現像装置１００を、最初にラボや写真館等に導入し、導入後の使用頻度とパノラマ写真を含む印画紙Ｐの消費量に基づき、適宜ペーパーマガジン左収納部１０２ａを増設可能にしている。
【００２０】
一方、写真焼付面側に発色乳剤を予め塗設した印画紙Ｐは、所定幅寸法（例えば、８９ｍｍ、１０２ｍｍ、２５４ｍｍ幅）の連続した長尺ロールペーパーＲＰとして捲回状態で、かつ外光を完全に遮断した状態でペーパーマガジン１０３内において回転自在になるように内蔵されている。
【００２１】
このペーパーマガジン１０３は、ペーパーマガジン左収納部１０２ａとペーパーマガジン右収納部１０２ｂに対して共通に使用できるようにするために、図示のように左右対称に構成されるとともに、表裏面の両方の壁面において取出し装填用のハンドル１０３ａが夫々設けられている。また、内蔵のロールペーパーをマガジン１０３の外部に排出する際の開口部の自動開閉機構を構成するためのシャッター板は、ペーパーマガジン右収納部１０２ｂとペーパーマガジン左収納部１０２ａのいずれに挿入した場合でも同じように自動的に開閉するように構成されており、構成部品の共通化を図るとともに使い勝手を向上させている。
【００２２】
また、このペーパーマガジン１０３に近接して設けられるカッターユニット１０４は、後述するように、連続搬送される印画紙Ｐを焼付け前に所望サイズに切断するためのものであり、このカッターユニット１０４により所定のカットサイズに切断された印画紙Ｐは、最初に破断して示した暗箱８内に搬送されてから図示の位置において露光される。
【００２３】
このために切断後の印画紙Ｐは、無数の孔を備えたテーブルの露光面１０５上に一時的に吸着されてから所定位置に移動することにより、焼付けの準備が整うようにしている。またこの動作に前後して、二点鎖線で図示のフィルムスキャナー１０６に対してフィルムＦを順次駒送りして、ズームレンズ５からなる光学系を自動または手動にて調整して所望のサイズの像を印画紙Ｐ上に結像して焼付けるように構成されている。
【００２４】
この焼付け動作の後に、カッターユニット１０４の上方に配設された副搬送部１０９に向けて印画紙Ｐを搬送し、続いて主搬送部１１０に搬送する。この主搬送部１１０には印画紙Ｐの搬送途中において挨拶文等を写真に焼付けるためのグリーティグユニットや、スーパーインポーズユニットや、テストネガユニット、白黒マスクユニット等の各ユニット１１１が簡単に着脱自在になるように設けられている。このために、主搬送部１１０へは頻繁にアクセスする必要があり、主搬送部１１０は筐体１０２の手前に簡単に引き出せるように構成されている。
【００２５】
また、この主搬送部１１０の下流側には焼付け後の印画紙Ｐの現像、漂白、水洗を順次行うための処理槽１１２が図示のように階段状に夫々設けられており、各処理槽１１２の間に設けられた反転ロール１１３により方向転換して乾燥ユニット１１７に送り込むようにして、乾燥後に最終的に装置１００の外部に排出するように構成されている。
【００２６】
処理槽１１２の中段の下方部位には処理液の補充用の補充タンク１１５が設けられる一方で、タンクの下方のドレイン１１４を介して使用済みの処理液を回収するようにして、前面のカバー（不図示）のみを開くことで、日常必要となる作業の殆どが前面からできるように配慮されている。
【００２７】
そして、乾燥ユニット１１７の下方の空間を占める筐体１０２内には電源部１１９が設けられるとともに、この電源部１１９の上には上記の処理槽１１２に関係する種々の制御を行うためのプロセッサー制御ユニット１１８が配設されており、上記の暗箱８の左側面に固定された印画紙搬送を司る主制御ユニットとの間で種々の制御データの交換を行いつつ装置全体の制御を行うように構成されている。
【００２８】
次に、図２は、図１の主搬送１１０における印画紙搬送の様子を示した要部拡大の外観斜視図である。
【００２９】
本図において、既に説明済みの構成には同一符号を付して説明を割愛して未説明部分について述べると、カッターユニット１０４で切断された印画紙Ｐは露光面１０５上に穿設された多数の孔部の吸着作用により隙間なく露光面１０５側に吸引される。この露光面１０５の裏面側（下方）には旋回モータにより図示の矢印ｄ３方向に回転可能な吸着部１５１が搬送方向に往復移動可能になるように設けられており、図示の位置において印画紙Ｐを保持して露光を行うようにしている。
【００３０】
この露光後に、印画紙Ｐは矢印ｄ４方向に主搬送部１１０に向けて搬送されて図中の印画紙Ｐ１の位置で、大判であるか否かの判断がされた後に、矢印ｄ５方向に搬送される。以下、左右に振り分けて搬送するようにして、上記の各処理槽１１２内を２列になるように搬送し、処理速度をアップできるようにしている。また、パノラマ写真（２５４×８９ｍｍ）とインデックス写真のように縦長の場合も同じように２列で搬送できるようにしている。
【００３１】
一方、フィルムスキャナー１０６に装填されるフィルムの搬送方向に対して直交するように露光を行いたい場合には、後述する旋回モータ１５２を矢印ｄ３方向に９０度駆動して露光を行えるようにして、大判までのサイズを全て焼付け処理できるように構成されている。
【００３２】
また、主搬送部１１０、処理槽１１２、パーパーマガジン１０３、カッターユニット１０４、副搬送部１０９は、不図示のカバーを開いた後に手前側に夫々取出せるように構成されている。一方で、主搬送部１１０は、かなりの重量（約３０ｋｇ以上）があるので、片支持状態で移動状態を保持できるようにして、新規格フィルムに基づく印字のための印字ヘッドのインクリボン交換作業や上記のグリーティングユニットを含む各ユニット類１１１を交換する作業を簡単にできるようにしている。そして、処理槽１１２と反転ロール１１３は上側に夫々取出せるようにして、水洗作業等を簡単に行えるようにしている。以上が装置１の設計思想を繁栄した構成である。
【００３３】
次に、写真焼付現像装置１００には色合わせ基準用ネガ機構が設けられるが、この色合わせ基準用ネガ機構は、前日に装置の運転を終了してから、当日に装置を起動するときに用いられるものである。
【００３４】
図３の色合わせ基準用ネガを設けた色合わせ基準用ネガ機構１０と図１の写真焼付現像装置１００を参照してその機能について簡単に述べる。
【００３５】
図３において、暗箱８は図１のものと略同じ形状であるが傾斜面８ａを図示のように形成することで、他の装置を配設するための空間Ｈを確保している。そして、この暗箱８の下方に位置する取付基部１８上において第１の基部１２が第１のモータ１３により破線と実線図示の位置に回動して停止するように設けられている。
【００３６】
この第１の基部１２の端部の近くにはグレー色の色合わせ基準用ネガ１１が固定されており、この色合わせ基準用ネガ１１を実線図示の待機位置と破線図示の露光位置に適宜移動するようにして、装置１００の起動と同時に破線図示の位置にモータ駆動するように構成されている。これに前後して、露光面１０５上には印画紙Ｐが上述したように搬送されて、ランプ７からズームレンズ５を介して光源Ｌが照射される。この光源Ｌは、図示のように略円錐形状に広がるので、後述するように余分な面をも照射することになるが、色合わせ基準用ネガ１１を使用するときは、適宜この光源Ｌが絞られて色合わせ基準用ネガ１１を使用した露光が行われる。
【００３７】
尚、色合わせ基準用ネガ１１は光源の光軸中心にセットされるが、この光軸中心位置はインデックス写真焼付装置１が露光位置に移動する位置と重なるので、色合わせ基準用ネガ１１を往復移動する機構がさらに必要となる。
【００３８】
この後に、印画紙Ｐは図１で示した乾燥ユニット１１７の出口付近に位置する濃度計によりＹＭＣの各色要素の濃度検出が自動的に行われて、各色が所定濃度であるかどうかの判定が行われる。
【００３９】
この判定結果をランプ７の照射時間等にフィードバックして、処理槽１１２中の各処理液体の劣化状態如何によらず、常に最適な色の写真が得られるように自動調整できるようにしている。
【００４０】
以上が色合わせ基準用ネガ機構１０の役割であって、従来は装置起動時に作業者が暗箱内に色合わせ基準用ネガをセットし、運転前に除去するようにしていたが、近年の写真焼付現像装置１００には上述の色合わせ基準用ネガ機構１０が予め設けられており、装置起動時における作業者の負担を軽減している。
【００４１】
一方、図４はインデックス写真焼付装置１を図中の二点鎖線で示した暗箱８内に設けた様子を示した外観斜視図である。
【００４２】
本図において、暗箱８は図３に示したズームレンズ５からの露光光源を最大にズーミングしたときの円錐形状に略沿う傾斜面８ａを側面に形成した光遮蔽構造を備えている。
【００４３】
このために、インデックス写真を得るためのインデックス露光を印画紙Ｐに行うインデックス露光手段としての液晶装置２を固定した第１の基部２０が、図示のように暗箱内の側面に対して略平行となる待機位置に移動しているときには、この傾斜面８ａと略平行となる側端部２０ａを基部２０に形成する必要がある。また、図中の矢印方向に回動駆動されて露光面１０５上の露光位置に回動したときには、この側端部８ａを図示のように斜めに切り欠くことにより印画紙Ｐの一部が露出する状態とになり、パノラマ写真のように横長の写真の一部にカブリが出てしまう。
【００４４】
そこで、図中の破線で示した部分２０Ｋに該当する部分に、覆い部分を設けなければならないが、この部分２０Ｋは上記の傾斜面８ａに干渉する位置となるのでそのままでは設けることができない。
【００４５】
図５は、色合わせ基準用ネガ機構１０とインデックス写真焼付機構１を図中の二点鎖線で示した暗箱８内に設けた様子を示した外観斜視図である。本図において、色合わせ基準用ネガ機構１０とインデックス写真焼付機構１は取付基部１８に固定される共通取付基部２１上に固定されており、図１の装置１００の奥側となる暗箱８の側面に対して沿う状態で図示のように起立した待機位置に通常は位置している。この状態において、印画紙Ｐの搬送が行われて通常の露光が露光面１０５上において行われる。
【００４６】
一方、インデックス写真を露光するときには、第１の基部２０に固定された液晶装置２が第１のモータ２８により回動駆動されて露光面１０５上に位置するようにしてインデックス写真の露光が行われる。この露光後に、第１のモータ２８の逆方向の駆動により図示の待機位置に移動する。また、この液晶装置２の隣りには画像信号を画面上に映すための制御回路基板を内装した装置３が固定されており、後述の画像信号ケーブル４から送られる画像信号に基づく画像を液晶画面上の白黒の濃度変化として表すようにしている。
【００４７】
一方、色合わせ基準用ネガ１１による露光時には、光源の光軸中心にネガ１１が移動しなければならないが、この光軸中心位置は図示のインデックス写真焼付装置１が露光位置に移動する位置と重なる。そこで、この色合わせ基準用ネガ１１が露光位置に移動してから、図示の待機位置に戻すための往復移動する機構が必要となる。そこで、この色合わせ基準用ネガ１１は螺旋溝を外周面に設けた螺旋溝軸体１４の廻りに回動自在に設けられた第２の基部１２の端部に固定されており、後述のカム機構の作用により１個の第２のモータ１３の正逆方向の駆動により所定位置に駆動できるように構成されている。
【００４８】
また、上記の第１の基部２０の側端部２０ａを露光位置において覆い隠すための覆板２２が破線図示の一対のヒンジ２３により回動自在に設けられており、図示の待機位置ではその自重で下方に垂れ下がるようにして上記の暗箱８の傾斜面８ａに第１の基部２０が干渉しないようにしている。
【００４９】
また、覆板２２にはローラ２５が設けられており、このローラ２２が基部２０の下方への回動移動に伴い取付基部２１と平行に設けられている平行板２６の面上を移動することで、覆板２２が広がるようにしている。
【００５０】
図６は、色合わせ基準用ネガ機構１０とインデックス写真焼付機構１を暗箱８内に設けた様子を示した正面図である。本図において、既に説明済みの構成には同一符号を付して説明を割愛すると、暗箱８の傾斜面８ａは上述のように露光光光源を最大にズーミングしたときの円錐形状に略沿うように形成されているので、この傾斜面８ａに沿う空間部Ｈを設けることができる。つまり、図示の右側面に対向するように垂直に側面を設ける場合との比較において、空間部Ｈを占有する体積を大きく設定できるようになるので、この空間部Ｈに他の装置を収容できるようになり装置１００の外形寸法の内の全長を短くできるようになる。
【００５１】
この露光焼付部に配設される取付基部１８から所定距離下方には、露光面１０５を形成するとともに無数の貫通孔を設けたテーブルが配設されている。この露光面１０５上を印画紙Ｐの吸着を行いつつ露光位置に搬送するために、吸着ヘッド１５１が図示のベルト駆動機構により破線図示の位置の間で搬送されるように構成されている。この吸着ヘッド１５１には切換弁１５３に接続された吸引ポンプ１５４が接続されており、吸引と吸引解除を行うようにして、露光後の印画紙Ｐを下流側の処理槽に搬送するようにしている。
【００５２】
又、この吸着ヘッド１５１は、図２を参照して述べたように９０度の回転ができるように回転アクチエータ１５２上に搭載されているが、この回転アクチエータ１５２はキヤリッジ上に固定されており、図中のハッチングで示した装置本体基部上に設けられたモータ１５６の回転軸に固定されているプーリとアイドラー１５９の間に張設されているベルト１５７の途中部位に上記のキヤリッジを固定することで、モータ１５６の正逆方向の所定回転駆動により印画紙Ｐを吸着ヘッド１５１で吸引して実線図示の位置に搬送して、上記の色合わせ基準用ネガ１１による露光と、インデックス露光焼付装置１の液晶装置２によるインデックス露光を行うように構成されている。
【００５３】
一方、露光面１０５を形成したテーブルは密閉構造になるようにして、上記の貫通孔を介して発生する負圧により印画紙Ｐの全面部分が露光面１０５に沿うように平坦に吸着できるように構成されている。このような負圧発生にための大型の軸流ファン１５８が設置されている。
【００５４】
また、インデックス露光手段である液晶装置２は、予め新規格フィルムを含む現像済みのフィルムを不図示のフィルムスキャナー装置に搬送しつつ、フィルム画像をフィルムスキャナーのイメージセンサにより随時読取り、アナログ−デジタル変換し、１本分のフィルムの全ての画像を一時記憶し、所定駒数分の縦列と横列に配置するように画像処理し、液晶装置２の光透過性の表示部において色三原色ＲＧＢの各フィルターを６ａ、６ｂ、６ｃを１枚毎に順次光軸上に位置させることにより、各フィルター６に応じたモノクロ画像を液晶パネルにおいて濃度変化として表すようにして、インデックス露光を行う準電子式である。このインデックス露光のときは、印画紙Ｐはカッターユニット１０４で切断された後に、吸着ヘッド１５１で吸引されて搬送されてから９０度回転されて液晶表示部下方に位置するようにして露光が行われる。
【００５５】
次に、インデックス写真焼付機構１が回動駆動される構成を図６のＡ‐Ａ矢視断面図である図７（ａ）に基づき述べる。また、図７（ｂ）は図７（ａ）の要部を拡大して示した正面図である。図７に基づきインデックス写真焼付機構１が回動駆動される様子につき説明する。
【００５６】
尚、色合わせ基準用ネガ機構１０の回動駆動の構成については後述するが、この色合わせ基準用ネガ機構１０は、図５で示したようにインデックス写真焼付機構１の第１の基部２０の下方となる裏面側に隠れるように設けられているので、この第１の基部２０が下方に移動するとセットアップ用ネガ機構１０の第２の基部１２が障害となり下方に回動駆動できなくなる。
【００５７】
そこで、色合わせ基準用ネガ機構１０の第２の基部１２には、後述するように付勢部材であるリターンスプリング３２が図１０に示すように設けられており、第１の基部２０がそのまま下方側に回動駆動されると、第１の基部２０の裏面側に対して当接するようにしてリターンスプリング３２が伸びることで基部２０の動きに追動することで、第１の基部２０の回動駆動を支障なく行えるようにしている。又、色合わせ基準用ネガ機構１０の第２の基部１２は図５に示す待機状態ではリターンスプリング３２が縮むことで図示の位置になる。
【００５８】
そして後述するように、このリターンスプリング３２が縮む状態が保持されつつ、色合わせ基準用ネガ機構１０の第２のモータの駆動が行なわれることで、第２の基部１２が第１の基部２０から下方に離間するように駆動されて、色合わせ基準用ネガ１１による露光焼付位置に駆動できるように構成されている。
【００５９】
さて、図７において、露光面１０５から離間した取付基部１８には共通取付基部２１が固定されており、この基部２１に設けられている第１の回動軸体３０により第１の基部２０が図示の実線図示の露光位置と破線図示の待機位置との間で回動自在になるように軸支されている。
【００６０】
また、第１の基部２０は黒色アルマイト表面処理された３ｍｍ程度の板厚のアルミ板を板金加工することで、乱反射を防止するとともに極力軽量にすることにより後述のモータの駆動負荷を低減することで小型モータを使用できるように配慮している。この第１の基部２０の端部には露光面１０５に対する当接作用により常に一定位置で停止するようにしたストッパー６０が固定されており、このストッパー６０の端部６０ａが、図示のように露光面１０５上に当接する状態において上記の第１の回動軸３０とによるいわゆる３点支持を行うようにして、かならず露光面１０５上の印画紙Ｐと液晶２とが平行になるようにしている。
【００６１】
このように回動駆動するための第１の駆動部を構成するための第１のモータ２８（図５を参照）の出力軸には、歯部６３ａを形成した駆動ギア６３が固定されており、上記の第１の回動軸３０廻りに回動自在になるように第１の基部２０の内側側面において保持されてた破線図示の被駆動ギア６４に対して噛合するようにして、この被駆動ギア６４を正逆方向に駆動するように構成されている。
【００６２】
一方、この被駆動ギア６４の歯部の側面部位には凸部部材６５が固定されており、この凸部部材６５を凸部部材６５の幅寸法よりも大きめに切りかかれている第１の基部２０の切欠部６６内に対して潜入するようにして、遊び分Ｇを確保しており、この凸部部材６５が切欠部６６の左右側面のいずれかに当接することで第１の基部２０を回動駆動する動力を伝えるように構成されている。
【００６３】
また、図７（ａ）において、第１の基部２０には共通取付基部２１上に固定されている光学式のドグセンサ６１により検出されるドグ６２が図示の位置に固定されており、ストッパー６０が露光面１０５への当接作用を開始することをこのドグ６２とセンサ６１とにより検出するように構成されている。さらに、第１の基部２０が待機位置にある状態を検出するセンサ５２が基部２１に固定されており、待機位置をモニターできるようにしている。
【００６４】
図８は図７の構成の回動機構の説明のためのフローチャートであって、本図においてこの制御が開始されると、先ずステップＳ１でインデックス写真を得るためのインデックス露光が指定されているか否かの判定が行われて、無しの場合にはステップＳ２のリターンに進みこれ以降の処理を停止する。また、ステップＳ１で有りが判定されると、ステップＳ３に進みセンサ５２がオンされており、インデックス機構１０が待機位置に位置しているか否かの判定が行われて、待機位置にあると判定されるとステップＳ４に進む。何らかの原因で待機位置に位置していないと判断されるとステップＳ２に進み、それ以降の処理を中断し、作業者に異常発生を知らせる。
【００６５】
以上でインデックス露光のための準備が整い、ステップＳ４において第１のモータ２８の起動が行われて第１の基部２０が下方に回動駆動されて、ステップＳ５でドグセンサ６１によるドグ６２の通過が検出されまで通電されてモータ駆動の停止の準備に入る。次にステップＳ６では、ドグセンサ６１がオンされた後にさらに遅れ分（ディレイタイム）の駆動が継続されて、ステップＳ６において遊び分Ｇを切欠部６６内で凸部部材６５が移動させる。
【００６６】
この結果、ステップＳ８において、第１の基部２０は３点支持される状態になる。このようにして常に一定距離離間した露光位置に液晶２が位置するようにして、ピントずれ発生を防止する。この状態から、待機位置に移動するためには第１のモータ２８をセンサ５２がオンするまで逆方向に駆動する。
【００６７】
次に、図９は高周波画像信号を伝える可撓性の画像信号ケーブル４が第１の回動軸体３０廻りに設けられる様子を示した外観斜視図であって、既に説明済みの構成には同一符号を付して説明を割愛する。先ず、画像信号ケーブル４はフィルムスキャナーで読み取った画像信号を高速で制御部３に電送するためのものであり、かなりの高周波でありノイズに弱いことから多層の皮膜が設けられている関係から屈曲に弱く、直に接続した場合には断線が避けられない。この対策としては、ケーブル長さを余分に設定し、屈曲率を多くとれるようにして大きな円を描くようにして接続すると良いが、このようにすると弛みが発生したケーブル部位が露光光源を遮蔽したり露光面１０５上に垂れ下がる状態になるので、採用できない。
【００６８】
そこで、このケーブル４を図示のように回動軸体３０から延設された延設軸部３０ａにおいて回動自在に設けられたフランジ部１６ｆ付きのフランジローラ１６の外周面に複数回巻き付けるようにしたところ、２０万回の曲げ耐久性を確認することができた。
【００６９】
一方、電源ケーブル４０については、屈曲しても断線しないのでそのままコネクタ４０ｂで制御部３に接続してあるが、この電源ケーブル４０も同様にフランジロータに捲回するようにしても良い。尚、画像信号ケーブル４は多芯ケーブルを設けた両コネクタタイプ４ａ、４ｂであって、コネクタ４ａは画像処理を行うパソコン側に直に接続されるように構成されているので、万が一の断線発生時であっても簡単に交換することができるように、上記のフランジローラ１６は図示のように片支持されており、その外周面に簡単にアクセスできるようにして分解することなく交換できるようにしている。
【００７０】
次に、図１０は暗箱８内に設けた色合わせ基準用ネガ機構１０とインデックス写真焼付機構１の動作説明外観斜視図であって、図５で説明した待機状態から上記のように回動駆動されて露光状態に移動した様子を示している。
【００７１】
本図において、暗箱８の奥側の側面に沿うように制御ボックス１５が設けられており、この内部に各モータ及びセンサ用のドライバー基板が内蔵されており、所定の制御を司るように構成されている。
【００７２】
一方、略直角三角形の覆板２２は下方に移動するときに端部に固定されている回動ローラ２５が、図１０（ｂ）に図示のように取付用基部１８に固定されている水平板２６上を破線図示の位置から実線図示の位置に移動することで、下方に垂れ下がる状態から次第に広がるようにして露光面１０５を図示のように覆うようにできる。この結果、インデックス写真を露光するときのカブリが防止できるようになる。図５の待機状態に戻るときは、回動ローラ２５が次第に水平板２６から離間して覆板２２は自重で下方に垂れ下がるようになり、傾斜面８ａと平行になるように収容される。
【００７３】
次に、図１１は色合わせ基準用ネガ機構１０の動作説明のための外観斜視図である。本図において色合わせ基準用ネガ機構１０は色合わせ基準用ネガ１１による露光焼付を行うことで図１に示すように下流側の各処理槽内を通過させて完成写真を得てから、濃度計９によるＹＭＣの三原色の濃度測定を行い、この濃度測定結果に基づいた自動補正機能を行うためのものであって、この色合わせ基準用ネガ１１は上述のように光源の光軸中心に位置しなければならない。このために第２の基部１２は第１の基部２０が待機位置に位置する状態から第２のモータ１３の駆動にともない下方に回動駆動された後に、図示の矢印の右方向に移動しなければならないが、このように下方移動と左右移動を行うための第２の駆動部は通常は駆動モータを２個使用するようになるが、これはコストアップを招くことになる。
【００７４】
そこで露光光源の光軸側に移動する第２の駆動部を図１２（ａ）に図示のように構成することで、１個の駆動モータ１３で駆動可能に構成している。
【００７５】
図１２（ａ）において、この第２の駆動部の構成は、取付基部１８に固定される基部２１に設けられており、正逆回転する出力軸をギアヘッド部と一体化した駆動モータ１３を駆動源としている。また、基部２１において両端が回動自在に軸支され、モータ１３のギアヘッドの出力軸に固定されたプーリ３７から歯付きベルト３８を介してプーリ３９に動力を得るようにした螺旋溝軸体１４が設けられておリ、この軸体１４の外周面に螺旋溝１４ａを形成することで、この螺旋溝１４ａに螺合することで軸体１４の回動に伴い軸方向に移動する螺合部材３４を設けている。又、この螺合部材３４には螺旋溝軸体１４の軸芯と略直交する軸廻りに回動自在に設けられたカムフォロア３５が固定されている。
【００７６】
一方、この螺合部材３４にはブラケット３３が跨ぐように設けられており、このブラケット３３により上記の第２の基部１２をリターンスプリング３２が縮んだ状態で図示のように保持している。
【００７７】
カムフォロア３５は基部２１に固定されたカム板３６において図示のような形状に穿設されたカム溝部３６ａ内において案内されることで、第２の基部１２が待機位置に位置するときは図示のような起立状態に保持する一方で、図１２（ｂ）に示すように光軸側に移動するために螺旋溝軸体１４が回動されると螺合部材３４が右方向に移動され、このときにカムフォロア３５がカム溝部３６ａで案内されて螺合部材３４とともに第２の基部１２がやや下方に移動し始め、螺旋溝軸体１４がされらに回動されて図１２（ｃ）の状態では第２の基部１２が露光位置に位置するようにして、センサ５１でこの状態が検出されて停止する。この後に露光が終了すると、モータ１３が逆駆動されて図１２（ａ）の起立状態に復帰してセンサ５０による検出で停止する。
【００７８】
以上のようにして、第２のモータ１３を１個設けるだけて回動と往復運動の両方を行う機構を実現することができ、コストダウンに大いに寄与できることになる。また、カム機構部品他の点数が少ないので信頼制を向上できる利点がある。図１３は、色合わせ基準用ネガ機構１０が待機位置から動作位置に移動後に再度待機位置に戻るまでの動作説明のフローチャートである。
【００７９】
本図において、写真焼付現像装置１００が前日に装置の運転を終了してから、例えば１０時間経過し、装置を起動するとこの処理が自動的に起動して、ステップＳ１０において、起立状態になっているネガ１１を所定位置にセットするか否かが判定される。又、例えば処理液を新品に交換した直後であって、色合わせが終了している場合には以下の処理を行わずにリターンする。
【００８０】
ステップＳ１０でセットすると判定されたときには、ステップＳ１１に進み図１２で説明したセンサ５０がオンであって機構が待機位置に位置していると判定されると準備が整いステップＳ１２においてモータ１３の起動が行われる。センサ５０がオンしていないと何等かの原因で待機位置にないと判断されてリターンする。ステップＳ１２でモータ１３の起動が行われて、第２の基部１２が露光位置に移動するとセンサ５１がオンされて、ステップＳ１４に進み色合わせネガ１１による露光が行われる。露光が終了するとステップＳ１５に進み、今度はセンサ５０がオンするまでモータ１３の逆方向の駆動が行われることで、第２の基部１２が元の待機位置に復帰する。
【００８１】
以上のように第２のモータ１３を１個のみ設けて、このモータ１３のみをセンサ５０、５１による検出で駆動制御することで、ネガ１１を光軸中心の位置に移動してから、待機位置に戻すようにできる。つまり回動と往復運動の両方を行う機構を簡単に実現することができる。
【００８２】
【発明の効果】
以上説明したように、本発明によれば、写真焼付現像装置に用いられるインデックス写真焼付機構と色合わせ基準用ネガ機構とを傾斜面を設けた暗箱内に配設し、待機位置と露光位置とに夫々回動駆動するように構成した場合において、暗箱の傾斜面との干渉が防止でき、かつ所定露光位置において露光面全体を覆い隠すことができるインデックス写真焼付装置を提供することができる。
【００８３】
【図面の簡単な説明】
【図１】  写真焼付現像装置１００の様子を示した外観斜視図である。
【図２】  印画紙Ｐの搬送の様子を示した要部拡大外観斜視図である。
【図３】  色合わせ基準用ネガ機構１０の動作説明図である。
【図４】  暗箱８内に内蔵されるインデックス写真焼付機構１の動作説明図である。
【図５】  色合わせ基準用ネガ機構１０とインデックス写真焼付機構１を暗箱８内に設けた様子を示した外観斜視図である。
【図６】  色合わせ基準用ネガ機構１０とインデックス写真焼付機構１を暗箱８内に設けた様子を示した正面図である。
【図７】  図６のＡ‐Ａ矢視断面図（ａ）、同拡大図（ｂ）である。
【図８】  インデックス写真焼付機構１の動作説明フローチャートである。
【図９】  信号ケーブルの捲回状態を示した外観斜視図である。
【図１０】  暗箱８内に設けた色合わせ基準用ネガ機構１０とインデックス写真焼付機構１の動作説明外観斜視図である。
【図１１】  色合わせ基準用ネガ機構１０の動作説明のための外観斜視図である。
【図１２】  （ａ）色合わせ基準用ネガ機構１０が待機位置にある状態を示した外観斜視図である。（ｂ）色合わせ基準用ネガ機構１０が下方位置に移動した状態を示した外観斜視図である。（ｃ）色合わせ基準用ネガ機構１０が露光位置に移動した状態を示した外観斜視図である。
【図１３】  色合わせ基準用ネガ機構１０が待機位置から動作位置に移動後に再度待機位置に戻るまでの動作説明のフローチャートである。
【符号の説明】
１…インデックス焼付機構、２…液晶装置、３…液晶制御回路基板、４…画像信号ケーブル、５…ズームレンズ、６…（ＲＧＢ）フィルタ、７…（光源用）ランプ、８…暗箱、９…濃度計、１０…色合わせ基準用ネガ機構、１１…色合わせ基準用ネガ、１２…第２の基部、１３…第２のモータ、１４…螺旋溝軸体、１４ａ…螺旋溝、１６…フランジ付きローラ、１８…取付基部、２０…第１の基部、２１…（共通）基部、２２…覆板、２３…ヒンジ、２５…回動ローラ、２６…水平板、２８…第１のモータ、３０…第１の回動軸、３２…リターンスプリング（付勢部材）、３３…ブラケット、３４…螺合部材、３５…カムフォロア、３６…カムプレート、３７…プーリ、３８…歯付きベルト、３９…プーリ、４０…電源ケーブル、５０…センサ、５１…センサ、５２…センサ、６０…ストッパー、６１…ドグセンサ、６２…ドグ、６３…駆動ギア、６４…被駆動ギア、６５…凸部部材、６６…切欠部、１００…写真焼付現像装置、１０２…筐体、１０２ａ…ペーパーマガジン右収納部、１０２ｂ…ペーパーマガジン左収納部、１０３…ペーパーマガジン、１０４…カッターユニット、１０５…露光面（テーブル）、１０６…フィルムスキャナー、１０９…副搬送部、１１０…主搬送部、１１１…グリーティングユニット、１１２…処理槽、１１３…反転ロール、１１４…ドレン、１１５…補充タンク１１７…乾燥ユニット、１１８…プロセッサー制御部、１１９…電源部、Ｐ…印画紙、ＲＰ…ロールペーパ
【図１】
0003938974.tif 000002
【図２】
0003938974.tif 000003
【図３】
0003938974.tif 000004
【図４】
0003938974.tif 000005
【図５】
0003938974.tif 000006
【図６】
0003938974.tif 000007
【図７】
0003938974.tif 000008
【図８】
0003938974.tif 000009
【図９】
0003938974.tif 000010
【図１０】
0003938974.tif 000011
【図１１】
0003938974.tif 000012
【図１２】
0003938974.tif 000013
【図１３】
0003938974.tif 000014